【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
ハンドル(11)を押し引きしてラッチ(6)を動作させるラッチ動作機構(1a)と、前記ラッチ動作機構(1a)と上下に対をなして前記ハンドル(11)を支持するヒンジ機構(1b)とを備えたプッシュプル式ドア取手において、
前記ラッチ動作機構(1a)と前記ヒンジ機構(1b)とは、いずれもそれぞれ押圧ブロック(12)及び軸受ブラケット(13)を備えており、ドア(D)に取り付けられる前記軸受ブラケット(13)により前記押圧ブロック(12)が揺動自在に保持されて、前記ハンドル(11)が押され又は引かれたとき、前記押圧ブロック(12)が水平方向に揺動し、
前記ラッチ動作機構(1a)は、前記軸受ブラケット(13)に垂直方向に揺動自在に支持されて一方向に付勢された連動カム(15)を備え、前記押圧ブロック(12)の水平方向の揺動に伴い、前記連動カム(15)が前記押圧ブロック(12)に押されて垂直方向に揺動し、前記連動カム(15)に連係したラッチ(6)のロックが外れるものとされ、
前記ヒンジ機構(1b)は、前記軸受ブラケット(13)に垂直方向に揺動自在に支持されて一方向に付勢されたダミーカム(15b)を備え、前記押圧ブロック(12)の水平方向の揺動に伴い、前記ダミーカム(15b)が前記押圧ブロック(12)に押されて垂直方向に揺動しても、前記ダミーカム(15b)にラッチ(6)が連係しないものとされ、
前記ラッチ動作機構(1a)と前記ヒンジ機構(1b)の軸受ブラケット(13)では、前記押圧ブロック(12)の揺動中心となるハンドル軸(16)が挿通される縦軸穴(13a)と、前記押圧ブロック(12)の揺動ガイドとなるハンドル軸(16)が挿通されるガイド穴(13b)との位置関係が、前記連動カム(15)又は前記ダミーカム(15b)の揺動中心となる支持位置に対して逆になっていることを特徴とするプッシュプル式ドア取手。
【請求項２】
請求項１に記載のプッシュプル式ドア取手において、
前記ハンドル(11)は、縦方向に延びる把持部(11a)と、その上下端部から一側方へ延びるレバー部(11b)とが連続する形状とされ、
前記ラッチ動作機構(1a)は、前記ハンドル(11)のレバー部(11b)の基端側の裏側に前記押圧ブロック(12)が設けられ、前記押圧ブロック(12)には、前記レバー部(11b)の延びる方向に間隔を開けて対をなす押圧突起(12a)が形成されると共に、これらの押圧突起(12a)に、前記ハンドル(11)の把持部(11a)の延びる方向に軸線が向けられて、前記縦軸穴(12b)が形成され、
前記軸受ブラケット(13)には、前記対をなす押圧突起(12a)にそれぞれ対応して、前記縦軸穴(13a)とスロット状の前記ガイド穴(13b)が形成されると共に、前記縦軸穴(13a)及びガイド穴(13b)に対し軸線が直交する横軸穴(13c)が形成され、
前記押圧ブロック(12)の一方の押圧突起(12a)の縦軸穴(12b)と前記軸受ブラケット(13)の縦軸穴(13a)に、それぞれ前記押圧ブロック(12)の揺動中心及び揺動ガイドとなる前記ハンドル軸(16)が挿通され、
前記押圧ブロック(12)と前記軸受ブラケット(13)の間にばね受ピース(14)が介在し、前記ばね受ピース(14)は、その基部に形成された横軸穴(14a)と、前記軸受ブラケット(13)の横軸穴(13c)に挿通されたばね受軸(17)を中心として揺動するものとされ、
前記軸受ブラケット(13)の内部からドア(D)側へ突出する前記連動カム(15)は、基部の横軸穴(15a)に挿通された前記ばね受軸(17)を中心として、前記ばね受ピース(14)と一体に揺動するものとされ、
前記軸受ブラケット(13)と前記ばね受ピース(14)の間に介在するハンドルばね(18)により、前記ばね受ピース(14)が前記押圧ブロック(12)の押圧突起(12a)に押し付けられるように付勢され、前記押圧ブロック(12)の揺動に伴い、前記押圧ブロック(12)の押圧突起(12a)に押されて、前記ばね受ピース(14)と共に前記連動カム(15)が垂直方向に揺動し、前記連動カム(15)に連係したラッチ(6)のロックが外れるように構成されていることを特徴とするプッシュプル式ドア取手。
【手続補正２】
【補正対象書類名】明細書
【補正対象項目名】全文
【補正方法】変更
【補正の内容】
【発明の詳細な説明】
【発明の名称】プッシュプル式ドア取手
【技術分野】
【０００１】
この発明は、ラッチ動作機構とヒンジ機構を備えたプッシュプル式ドア取手に関するものである。
【背景技術】
【０００２】
分譲マンション等の玄関のドア取手として、ハンドルを押し引きするだけでラッチを動作させてドアを開閉できるプッシュプル式のものが多用されている。
【０００３】
このようなプッシュプル式のドア取手として、下記特許文献１には、図１１に示すようなものが記載されている。このドア取手は、ドアＤの外側に取り付けられる外側ユニット５１と、ドアＤの内側に取り付けられる内側ユニット５２から成り、外側ユニット５１と内側ユニット５２は、それぞれ側面視で弓状に湾曲し、正面視で１本の直線状となった縦長のハンドル５３を備えている。
【０００４】
ハンドル５３の下端部は、ドアＤに固定され、ハンドル５３の上端部は、ドアＤに固定された台座５４に対して連結レバー５５を介し連結されている。そして、連結レバー５５の先端部が錠箱５６のラッチ機構に連係し、ハンドル５３を手前に引いて撓ませると、連結レバー５５が垂直方向に揺動して、ラッチが動作するようになっている。
【０００５】
また、このようなプッシュプル式のドア取手と組み合わせて、鍵を鞄やポケットにしまったまま施錠及び解錠ができるハンズフリー式の電気錠が採用されることがあり、その電池収容構造として、下記特許文献２に記載されたようなものが知られている。
【０００６】
この電池収容構造は、図１２に示すように、ドアの内側に取り付けられるハンドル６１の下側の固定台座部６２に、着脱式のカバー６３で開閉される電源収容空間６４が形成され、電源収容空間６４に複数本の電池Ｅを束ねた状態で縦向きに収容する揺動式のカートリッジ６５と、電池Ｅの上端に被せる端子付きのキャップ６６を備え、電池Ｅの交換に際しては、図１２（Ａ）に示すように、カバー６３を取り外した後、図１２（Ｂ）に示すように、カートリッジ６５を外側へ揺動させて、電源収容空間６４から脱出させ、キャップ６６を外すものとなっている。
【先行技術文献】
【特許文献】
【０００７】
【特許文献１】特開平１１−２００６７１号公報
【特許文献２】特開２０１４−１６７２３７号公報
【発明の概要】
【発明が解決しようとする課題】
【０００８】
しかしながら、上記のような電池収容構造では、電池Ｅの交換に手間がかかるほか、ハンドル６１が上下方向へ長くなり、厚さ方向にも大きくなるため、玄関の出入り時にハンドル６１に衝突したりすることがある。
【０００９】
そこで、この発明は、錠作動用の電池交換が容易で、ハンドルを小型化できるプッシュプル式ドア取手を提供することを課題とする。
【課題を解決するための手段】
【００１０】
上記課題を解決するため、この発明は、ハンドルを押し引きしてラッチを動作させるラッチ動作機構と、前記ラッチ動作機構と上下に対をなして前記ハンドルを支持するヒンジ機構とを備えたプッシュプル式ドア取手において、
前記ラッチ動作機構と前記ヒンジ機構とは、いずれもそれぞれ押圧ブロック及び軸受ブラケットを備えており、ドアに取り付けられる前記軸受ブラケットにより前記押圧ブロックが揺動自在に保持されて、前記ハンドルが押され又は引かれたとき、前記押圧ブロックが水平方向に揺動し、
前記ラッチ動作機構は、前記軸受ブラケットに垂直方向に揺動自在に支持されて一方向に付勢された連動カムを備え、前記押圧ブロックの水平方向の揺動に伴い、前記連動カムが前記押圧ブロックに押されて垂直方向に揺動し、前記連動カムに連係したラッチのロックが外れるものとされ、
前記ヒンジ機構は、前記軸受ブラケットに垂直方向に揺動自在に支持されて一方向に付勢されたダミーカムを備え、前記押圧ブロックの水平方向の揺動に伴い、前記ダミーカムが前記押圧ブロックに押されて垂直方向に揺動しても、前記ダミーカムにラッチが連係しないものとされ、
前記ラッチ動作機構と前記ヒンジ機構の軸受ブラケットでは、前記押圧ブロックの揺動中心となるハンドル軸が挿通される縦軸穴と、前記押圧ブロックの揺動ガイドとなるハンドル軸が挿通されるガイド穴との位置関係が、前記連動カム又は前記ダミーカムの揺動中心となる支持位置に対して逆になっている構造としたのである。
【００１１】
また、このプッシュプル式ドア取手において、前記ハンドルは、縦方向に延びる把持部と、その上下端部から一側方へ延びるレバー部とが連続する形状とされ、
前記ラッチ動作機構は、前記ハンドルのレバー部の基端側の裏側に前記押圧ブロックが設けられ、前記押圧ブロックには、前記レバー部の延びる方向に間隔を開けて対をなす押圧突起が形成されると共に、これらの押圧突起に、前記ハンドルの把持部の延びる方向に軸線が向けられて、前記縦軸穴が形成され、
前記軸受ブラケットには、前記対をなす押圧突起にそれぞれ対応して、前記縦軸穴とスロット状の前記ガイド穴が形成されると共に、前記縦軸穴及びガイド穴に対し軸線が直交する横軸穴が形成され、
前記押圧ブロックの一方の押圧突起の縦軸穴と前記軸受ブラケットの縦軸穴に、それぞれ前記押圧ブロックの揺動中心及び揺動ガイドとなる前記ハンドル軸が挿通され、
前記押圧ブロックと前記軸受ブラケットの間にばね受ピースが介在し、前記ばね受ピースは、その基部に形成された横軸穴と、前記軸受ブラケットの横軸穴に挿通されたばね受軸を中心として揺動するものとされ、
前記軸受ブラケットの内部からドア側へ突出する前記連動カムは、基部の横軸穴に挿通された前記ばね受軸を中心として、前記ばね受ピースと一体に揺動するものとされ、
前記軸受ブラケットと前記ばね受ピースの間に介在するハンドルばねにより、前記ばね受ピースが前記押圧ブロックの押圧突起に押し付けられるように付勢され、前記押圧ブロックの揺動に伴い、前記押圧ブロックの押圧突起に押されて、前記ばね受ピースと共に前記連動カムが垂直方向に揺動し、前記連動カムに連係したラッチのロックが外れるように構成されているものとしたのである。
【発明の効果】
【００１２】
この発明に係るプッシュプル式ドア取手では、ハンドルの水平方向の揺動を、連動カムの垂直方向の揺動に変換して、ラッチのロックが外れるようにしたので、ハンドルの上下に設けたレバー部の間に電池収容部を設けることができる。
【００１３】
このため、錠作動用の電池交換が容易なものとすることができ、ハンドルを上下方向及び厚さ方向に小型化して、玄関の出入り時に障害とならないようにすることができる。
【００１４】
また、ハンドルの上下端部の一方に設けたラッチ動作機構と、他方に設けた同様のヒンジ機構とで、軸受ブラケットの縦軸穴とガイド穴の位置関係を逆にしていることから、軸受ブラケットを組み替えて、左勝手及び右勝手並びに外開き及び内開きの４形態に対応できるので、部品の製造や管理に要するコストを削減することができる。
【図面の簡単な説明】
【００１５】
【図１】この発明の実施形態に係るプッシュプル式ドア取手のドアへの取付状態をドアの内側から示す斜視図
【図２】同上のドア取手のドアへの取付状態を一部切欠状態で示す全体側面図
【図３】同上のラッチ動作機構の内部の構成部品を示す分解斜視図
【図４】同上のラッチ動作機構の第１組立形態（左勝手・外開き）を示す平面図
【図５】図４のＡ−Ａ線に沿った内側ユニット全体の縦断側面図
【図６】同上のラッチのロック解除の操作状態を示す（６Ａ）平面図、（６Ｂ）前記（６Ａ）のＢ−Ｂ線に沿った縦断側面図
【図７】同上のラッチ動作機構による主錠の（７Ａ）ラッチのロック状態、（７Ｂ）ラッチのロック解除時の状態をそれぞれ示す正面図
【図８】同上のラッチ動作機構の第２組立形態（左勝手・内開き）を示す平面図
【図９】同上のラッチ動作機構の第３組立形態（右勝手・外開き）を示す平面図
【図１０】同上のラッチ動作機構の第４組立形態（右勝手・内開き）を示す平面図
【図１１】特許文献１に記載のドア取手を一部切欠状態で示す全体側面図
【図１２】特許文献２に記載のドア取手の電池収容構造における（１２Ａ）カートリッジの収容状態、（１２Ｂ）カートリッジの脱出状態をそれぞれ示す斜視図
【発明を実施するための形態】
【００１６】
以下、この発明の実施形態を添付図面に基づいて説明する。
【００１７】
この発明に係るプッシュプル式ドア取手は、図１及び図２に示すように、ドアＤの内側に取り付けられる内側ユニット１と、外側に取り付けられる外側ユニット２とから構成されるドア取手において、内側ユニット１に適用されるものである。内側ユニット１の主要機構部は、内側ベースカバー１０の内部に設けられ、内側ユニット１及び外側ユニット２は、それぞれハンドル１１，２１を備えている。
【００１８】
内側ユニット１のハンドル１１は、縦方向に延びる把持部１１ａと、その上下端部から一側方へ延びるレバー部１１ｂとが連続する上下対称の形状とされ、レバー部１１ｂの把持部１１ａとは反対側に位置する基端部をヒンジとして揺動する。
【００１９】
外側ユニット２のハンドル２１は、側面視で弓状に湾曲し、正面視で１本の直線状となった縦長の形状とされ、上端部及び下端部がそれぞれ台座２２に対して、押し引き可能に連結されている。
【００２０】
ドアＤには、ハンドル１１，２１の上端部及び下端部にそれぞれ対応する位置に、彫込式の箱錠である主錠３及び補助錠４がそれぞれ設けられている。主錠３及び補助錠４は、それぞれドアＤの端面から出没して施錠・解錠を行うデッドボルト５を有する電気錠とされている（図７参照）。主錠３には、反転式のラッチ６が設けられている。
【００２１】
主錠３及び補助錠４の作動用の電力は、内側ベースカバー１０の中間部に位置する電池収容部１０ａに収容された複数本の電池Ｅから供給される。電池Ｅは、電池収容部１０ａの深さ方向に重ねることなく配列される。
【００２２】
外側ユニット２において、ハンドル２１には、ドアＤを施錠・解錠するためのアンテナが内蔵され、表面に認証ボタン７が設けられている。ハンドル２１の上方と下方の台座２２には、それぞれ主錠３及び補助錠４のシリンダー２３が嵌められ、表面側に電池切れ時等の非常用であるシリンダー２３の鍵穴を覆う着脱式のカバー２４が設けられている。
【００２３】
主錠３及び補助錠４の施錠・解錠操作をドアＤの外側から行うには、認証キーを持っている状態で、外側ユニット２のハンドル２１の認証ボタン７を押し、ドアＤの内側から行うには、内側ユニット１のハンドル１１の上方及び下方に設けられたサムターン駆動部８のサムターン９を回転させる。
【００２４】
サムターン駆動部８には、モーターが内蔵され、認証ボタン７からの指令に伴い、デッドボルト５を出没させることができる。また、ハンドル２１の押し引きに伴い、連動カムを介しラッチ６のロックも外れるので、ドアＤを外側から開けられるようになる。
【００２５】
このようなドア取手の内側ユニット１において、ハンドル１１の上方のレバー部１１ｂの基端側には、ラッチ動作機構１ａが設けられ、下方のレバー部１１ｂの基端側には、ヒンジ機構１ｂが設けられている。ヒンジ機構１ｂは、ラッチ６の動作には関係しないものの、ラッチ動作機構１ａと同様の機構を有し、上下逆向きに組み立てられる。
【００２６】
ラッチ動作機構１ａは、図３乃至図５に示すように、ハンドル１１のレバー部１１ｂの裏側に取り付けられた押圧ブロック１２と、ドアＤ側に位置する軸受ブラケット１３と、押圧ブロック１２と軸受ブラケット１３の間に介在するばね受ピース１４と、細長い板状の連動カム１５と、２本の丸棒状のハンドル軸１６と、1本の丸棒状のばね受軸１７と、ねじりコイルばねであるハンドルばね１８とが主要な構成部材となっている。
【００２７】
押圧ブロック１２は、ハンドル１１のレバー部１１ｂの延びる方向に間隔を開けて対をなすように、半円柱状の押圧突起１２ａを有し、それぞれの押圧突起１２ａに対応して、軸線が上下に向く円形の縦軸穴１２ｂが形成されたものとなっている。
【００２８】
軸受ブラケット１３は、押圧ブロック１２との対向面が開いた箱型とされ、押圧ブロック１２の押圧突起１２ａにそれぞれ対応する円形の縦軸穴１３ａとスロット状のガイド穴１３ｂが形成されると共に、縦軸穴１３ａ及びガイド穴１３ｂに対して軸線が直交する円形の横軸穴１３ｃが形成されたものとなっている。
【００２９】
ばね受ピース１４は、両側に先端側から基部側へかけて大きく迫り出す側壁を有し、その側壁の基部に円形の横軸穴１４ａが形成されたものとなっている。
【００３０】
連動カム１５は、先端となる軸受ブラケット１３側が長い鉤状とされ、基部の屈曲部分に臨んで円形の横軸穴１５ａが形成されたものとなっている。
【００３１】
上記のような押圧ブロック１２の一方の押圧突起１２ａの縦軸穴１２ｂと軸受ブラケット１３の縦軸穴１３ａには、ハンドル軸１６が挿通され、押圧ブロック１２の他方の押圧突起１２ａの縦軸穴１２ｂと軸受ブラケット１３のガイド穴１３ｂにも、ハンドル軸１６が挿通されている。
【００３２】
これにより、押圧ブロック１２は、縦軸穴１３ａに挿通されたハンドル軸１６を中心として、ガイド穴１３ｂに挿通されたハンドル軸１６にガイドされつつ、軸受ブラケット１３に対して揺動するものとされている。
【００３３】
また、連動カム１５は、基部側が軸受ブラケット１３の内部に位置して、ばね受ピース１４に沿うように噛合しており、先端側が軸受ブラケット１３の背壁の長穴を介してドアＤの内部方向へ長く突出している。
【００３４】
そして、軸受ブラケット１３の横軸穴１３ｃと、ばね受ピース１４の横軸穴１４ａと、連動カム１５の横軸穴１５ａと、ハンドルばね１８のコイル部には、ばね受軸１７が挿通され、ばね受軸１７を中心として、ばね受ピース１４と連動カム１５が一体に揺動するものとされている。
【００３５】
また、ハンドルばね１８の一方の端部は軸受ブラケット１３に、他方の端部はばね受ピース１４にそれぞれ当接し、ハンドルばね１８により、ばね受ピース１４が押圧ブロック１２の押圧突起１２ａに押し付けられるように付勢されている。
【００３６】
このように構成された内側ユニット１は、軸受ブラケット１３を取付プレート１９にスペーサ１９ａを介してボルト止めし、取付プレート１９をドアＤの内面に沿わせ、ドアＤの内側から外側ユニット２のねじ穴にねじ込んだボルトにより、外側ユニット２との間にドアＤを挟み込むようにして、ドアＤに取り付けられている。
【００３７】
なお、ヒンジ機構１ｂでは、ラッチ６との連係が不要であることから、ラッチ動作機構１ａの連動カム１５に替えて、連動カム１５よりも短いダミーカム１５ｂが使用され、ダミーカム１５ｂは、軸受ブラケット１３からほとんど突出しないようになっている。
【００３８】
また、ラッチ動作機構１ａとヒンジ機構１ｂの軸受ブラケット１３は、縦軸穴１３ａとガイド穴１３ｂの位置関係が逆になっており、外開きの場合と内開きの場合とで入れ替えるようになっている。
【００３９】
図４は、上記のようなラッチ動作機構１ａを、左勝手・外開きのドアＤに適用した第１組立形態を示している。
【００４０】
この第１組立形態では、ドアＤの内面側の左寄りに内側ユニット１を取り付け、ハンドル１１は、把持部１１ａがレバー部１１ｂの右側に位置する方向へ向け、軸受ブラケット１３は、縦軸穴１３ａがドアＤの戸先側に位置し、ガイド穴１３ｂがドアＤの戸尻側に位置するものを使用する。
【００４１】
このように組み立てると、ドアＤを開けるため、ハンドル１１の把持部１１ａが押されたとき、図６（Ａ）に示すように、ハンドル１１のレバー部１１ｂと共に押圧ブロック１２が水平方向に揺動し、ばね受ピース１４が押圧突起１２ａに押されて、図６（Ｂ）に示すように、ばね受ピース１４と共に連動カム１５が垂直下方へ揺動する。
【００４２】
これに伴い、図７（Ａ）、（Ｂ）に示すように、主錠３のスライドピース３１が連動カム１５により押し下げられ、連動ピン３２で連結された中間カム３３とロックカム３４が揺動して、ラッチ６のロックが外れるので、ラッチ６が反転可能な状態となり、ドアＤを開けることができるようになる。
【００４３】
このように、上記ラッチ動作機構１ａによると、ハンドル１１のレバー部１１ｂの水平方向の揺動を、連動カム１５の垂直方向の揺動に変換して、ラッチ６を動作させるので、ハンドル１１の上下のレバー部１１ｂの間に電池収容部１０ａを設けることができる。
【００４４】
従って、主錠３及び補助錠４の作動用の電池Ｅを容易に交換できるものとすることができ、ハンドル１１を上下方向及び厚さ方向に小型化して、玄関の出入り時にハンドル１１が障害とならないようにすることができる。
【００４５】
次に、図８は、上記のようなラッチ動作機構１ａを、左勝手・内開きのドアＤに適用した第２組立形態を示している。
【００４６】
この第２組立形態では、ドアＤの内面側の左寄りに内側ユニット１を取り付け、ハンドル１１は、把持部１１ａがレバー部１１ｂの右側に位置する方向へ向ける。一方、軸受ブラケット１３は、縦軸穴１３ａがドアＤの戸尻側に位置し、ガイド穴１３ｂがドアＤの戸先側に位置するものを使用する。
【００４７】
このように組み立てると、ハンドル１１の把持部１１ａが引かれたとき、ハンドル１１のレバー部１１ｂと共に押圧ブロック１２が水平方向に揺動し、ばね受ピース１４が押圧突起１２ａに押されて、ばね受ピース１４と共に連動カム１５が垂直下方へ揺動し、ラッチ６のロックが外れるので、ドアＤを開けることができるようになる。
【００４８】
次に、図９は、上記のようなラッチ動作機構１ａを、右勝手・外開きのドアＤに適用した第３組立形態を示している。
【００４９】
この第３組立形態では、ドアＤの内面側の右寄りに内側ユニット１を取り付け、ハンドル１１は、把持部１１ａがレバー部１１ｂの左側に位置する方向へ向け、軸受ブラケット１３は、縦軸穴１３ａがドアＤの戸先側に位置し、ガイド穴１３ｂがドアＤの戸尻側に位置するものを使用する。
【００５０】
このように組み立てると、ハンドル１１の把持部１１ａが押されたとき、ハンドル１１のレバー部１１ｂと共に押圧ブロック１２が水平方向に揺動し、ばね受ピース１４が押圧突起１２ａに押されて、ばね受ピース１４と共に連動カム１５が垂直下方へ揺動し、ラッチ６のロックが外れるので、ドアＤを開けることができるようになる。
【００５１】
次に、図１０は、上記のようなラッチ動作機構１ａを、右勝手・内開きのドアＤに適用した第４組立形態を示している。
【００５２】
この第４組立形態では、ドアＤの内面側の右寄りに内側ユニット１を取り付け、ハンドル１１は、把持部１１ａがレバー部１１ｂの左側に位置する方向へ向け、軸受ブラケット１３は、縦軸穴１３ａがドアＤの戸尻側に位置し、ガイド穴１３ｂがドアＤの戸先側に位置するものを使用する。
【００５３】
このように組み立てると、ハンドル１１の把持部１１ａが引かれたとき、ハンドル１１のレバー部１１ｂと共に押圧ブロック１２が水平方向に揺動し、ばね受ピース１４が押圧突起１２ａに押されて、ばね受ピース１４と共に連動カム１５が垂直下方へ揺動し、ラッチ６のロックが外れるので、ドアＤを開けることができるようになる。
【００５４】
上記のように、このラッチ動作機構１ａでは、ヒンジ機構１ｂと軸受ブラケット１３を適宜入れ替えて使用することにより、左勝手及び右勝手並びに外開き及び内開きの４形態に対応できるので、多様な玄関タイプを有する大規模マンションのドア取手を、同一の部品セットで製造でき、部品の製造や管理に要するコストを削減することができる。
【符号の説明】
【００５５】
１  内側ユニット
１ａ  ラッチ動作機構
１ｂ  ヒンジ機構
２  外側ユニット
３  主錠
４  補助錠
５  デッドボルト
６  ラッチ
７  認証ボタン
８  サムターン駆動部
９  サムターン
１０  内側ベースカバー
１０ａ  電池収容部
１１  ハンドル
１１ａ  把持部
１１ｂ  レバー部
１２  押圧ブロック
１２ａ  押圧突起
１２ｂ  縦軸穴
１３  軸受ブラケット
１３ａ  縦軸穴
１３ｂ  ガイド穴
１３ｃ  横軸穴
１４  ばね受ピース
１４ａ  横軸穴
１５  連動カム
１５ａ  横軸穴
１５ｂ  ダミーカム
１６  ハンドル軸
１７  ばね受軸
１８  ハンドルばね
１９  取付プレート
１９ａ  スペーサ
２１  ハンドル
２２  台座
２３  シリンダー
２４  カバー
３１  スライドピース
３２  連動ピン
３３  中間カム
３４  ロックカム
Ｄ  ドア
Ｅ  電池